Podtech/llm-jp-corpus-v4-ja_patent huggingface dataset:
(57)【要約】      （修正有）【課題】タイヤバルブのエヤー漏れを液体中の気泡によって点検できる、タイヤバルブエヤー漏れ点検具を提供する。【解決手段】中空透明パイプ８の上部に透明タンク３を設け、該中空透明パイプ８の下部斜めに透明パイプ９を設ける。透明パイプ９中央内側に押しスプリング７を設け、該押しスプリング７の両端に液体仕切り弁４とオオリング６、弁ガイド１０を設ける。透明パイプ９の両端にバルブ挿入口１１、１２を設け、バルブ挿入口１１、１２に固定ガイド１８に固定したオオリング１（５）を設ける。【選択図】図１
2011011727.tif 000002
【特許請求の範囲】
【請求項１】
（イ）中空透明パイプ（８）の上部に透明タンク（３）を設ける。
（ロ）中空透明パイプ（８）下部斜めに透明パイプ（９）を設ける。
（ハ）透明パイプ（９）中央内側に押しスプリング（７）を設ける。
（ニ）押しスプリング（７）の両端に液体仕切り弁（４）とオオリング２（６）、弁ガイド（１０）を設ける。
（ホ）透明パイプ（９）の両端にバルブ挿入口（１１）、（１２）を設ける。
（ヘ）バルブ挿入口（１１）、（１２）にオオリング１（５）をオオリング固定ガイド（１８）に固定したオオリング１（５）を設ける。
以上の構成よりなるタイヤバルブエヤー漏れ点検具。
【発明の詳細な説明】
【技術分野】
【０００１】  本発明は、乗用車、バス、貨物トラックなどに使われているタイヤのタイヤバルブからのエヤー漏れを液体中の気泡によって点検出来る、タイヤバルブエヤー漏れ点検具に関するものである。
【背景技術】
【０００２】  従来、エヤー漏れ点検作業は、パンク修理やタイヤ交換などの作業後に行われる作業のため汚れた指をなめて指に唾を付けてこの唾をバルブの先端に塗ってエヤー漏れ点検作業を行っていた。
【発明が解決しようとする課題】
【０００３】そのために、次のような問題点があった。
（イ）汚れた指をなめて指に唾を付けるため不衛生であり一瞬ためらう事もある。
（ロ）エヤー漏れは目に見えないためエヤーが漏れているか、いないかの判断が困難な作業である。
（ハ）特にバスや貨物トラックに取り付けられたリヤーのダブルタイヤの外タイヤバルブは内側を向いているため暗い、狭い、見にくい所なのでエヤー漏れ点検作業は極めて困難な作業である。
（ニ）バスや貨物トラックのリヤーのダブルタイヤのエヤー点検は寝板を使って車の下に入って裏側から点検作業を行うので、特に貨物トラックは荷物を積んでいるので非常に危険な作業である。
本発明は、これらの問題点を解決するためになされたものである。
【課題を解決するための手段】
【０００４】（イ）中空透明パイプ（８）の上部に透明タンク（３）を設ける。
（ロ）中空透明パイプ（８）下部斜めに透明パイプ（９）を設ける。
（ハ）透明パイプ（９）中央内側に押しスプリング（７）を設ける。
（ニ）押しスプリング（７）の両端に液体仕切り弁（４）とオオリング２（６）、弁ガイド（１０）を設ける。
（ホ）透明パイプ（９）の両端にバルブ挿入口（１１）、（１２）を設ける。
（ヘ）バルブ挿入口（１１）、（１２）にオオリング１（５）をオオリング固定ガイド（１８）に固定したオオリング１（５）を設ける。
以上の構成よりなるタイヤバルブエヤー漏れ点検具。
【発明の効果】
【０００５】従来、エヤー漏れ点検作業で苦労していた点を下記のように解決する事が出来る。
（イ）衛生的になった為、今まで不愉快であった作業が、本発明により楽しみながら心地よい作業が出来るようになった。
（ロ）従来は人の感によって唾を付ける量がことなり確実性を欠くことがあったが、本発明によりエラーがなくなりエヤー点検の信頼性が高くなった。
（ハ）従来は、寝板を使って車の下に入っての体勢の悪い危険な作業であったが、本発明により車の下に入らず外から出来るようになったので体勢が良くなり極めて安全な作業になった。
【発明を実施するための最良の形態】
【０００６】（イ）中空透明パイプ（８）の上部に透明タンク（３）を設ける。
（ロ）中空透明パイプ（８）下部斜めに透明パイプ（９）を設ける。
（ハ）透明パイプ（９）中央内側に押しスプリング（７）を設ける。
（ニ）押しスプリング（７）の両端に液体仕切り弁（４）とオオリング２（６）、弁ガイド（１０）を設ける。
（ホ）透明パイプ（９）の両端にバルブ挿入口（１１）、（１２）を設ける。
（ヘ）バルブ挿入口（１１）、（１２）にオオリング１（５）をオオリング固定ガイド（１８）に固定したオオリング１（５）を設ける。【０００７】本発明は以上の構成からなるもので本発明を使用するときは、図２のようにバルブ挿入口１（１１）からバルブ（１４）が挿入されると液体仕切り弁（４）が押されて押しスプリング（７）が収縮し液体仕切り弁（４）が開放され液体（２）が挿入されたバルブの先端に流れ込む。【０００８】エヤー漏れのある異常な時は図２のように気泡（１３）が現れる。【０００９】エヤー漏れの無い正常な時は図２のような気泡（１３）は現れない。【００１０】バルブ挿入口２（１２）は、バスや貨物トラックの前輪タイヤや乗用車のようなシングルタイヤのエヤー点検に適している。【００１１】図２のようにバルブ挿入口１（１１）は、バスや貨物トラックのリヤーのダブルタイヤの外側のタイヤバルブのエヤー点検に最適である、本発明はこのために考案されたといっても過言でわない。
【図面の簡単な説明】
【００１２】
【図１】本発明の本体一部切欠断面斜視図
【図２】本発明の使用形態を示す斜視図
【符号の説明】（１）    キャップ
（２）    液体
（３）    透明タンク
（４）    液体仕切り弁
（５）    オオリング１
（６）    オオリング２
（７）    押しスプリング
（８）    中空透明パイプ
（９）    透明パイプ
（１０）  弁ガイド
（１１）  バルブ挿入口１
（１２）  バルブ挿入口２
（１３）  気泡
（１４）  バルブ
（１５）  タイヤ断面
（１６）  ホイル断面
（１７）  チュウブ断面
（１８）  オオリング固定ガイド
（１９）  液体補充口
【図１】
2011011727.tif 000003
【図２】
2011011727.tif 000004
(57)【要約】      （修正有）【課題】簡易で安価な装置でインフルエンザ（風邪）の感染予防に対応する方法、【解決手段】風が水分を含んだ繊維の中を通ると水はマイナスイオンを作る事を利用し、インフルエンザ（風邪）の細菌は塩水を含んだ繊維の中を通して「水の表面張力とマイナスイオン」の相乗効果で細菌は全て塩水を含んだ繊維に吸い寄せる装置。着装はマスクの鼻側から、酸素吸入様式に習う、肺活量の２倍以上の風力を送る。また、インフルエンザ（風邪）を患ったひとは、クシャミ、咳の細菌を塩水を含んだ繊維を通す事によりマイナスイオンの作用を活用して繊維に細菌を全て付着させる。病院診察時、家庭療養中、他の患者、家族へ感染させない。患者が菌を他の方へ感染させない器具。口の付近にフイゴの弁を附ける。【選択図】図１
2011011021.tif 000002
【特許請求の範囲】
【請求項１】
風邪（インフルエンザ）は万病の元。
鼻呼吸の方も口呼吸の方は特に、クシャミ、咳に直面時、数秒呼吸を止めるこたで、風邪（インフルエンザ）の細菌は通り過ぎ、予防する一つの方法が在りますが。
（特に鼻毛は細菌の進入を食い止める）
口呼吸の方は通院、雑踏の中での予防には限界がある。
風邪感染予防は、簡単な方法で、装置で可能です。
塩水を含んだ繊維で洗浄した肺活量の２倍以上の空気をマスクの中へ送る、マスクの息苦しさも解消、インフルエンザ、風邪予防になる。
又、インフルエンザ、風邪に罹った人は、クシャミ咳を塩水に通す事により、細菌を四方へ飛散しにくくする装置
家庭で家族に安心して療養、加えて通院も安心。
又妊婦、腎臓疾患、肺気腫の方にも安心器具。
【請求項２】
【請求項１】
小型扇風機で繊維に含んだ塩水を通した空気を呼吸する装置。
【請求項２】
インフルエンザ、風邪の細菌を、塩水を含んだ繊維を通して放出する装置。
【発明の詳細な説明】
【技術分野】
【０００１】風邪（インフルエンザ）の細菌を簡易な方法で除去装置。
【背景技術】
【０００２】
【特許文献１】鼻毛は進入するゴミ、細菌を捕獲、涙腺が分泌する塩水で細菌を消毒する。
【特許文献２】呼吸時、扇風機で塩水を含んだ繊維を通り洗浄した空気を肺活量の２倍以上量マスクの中え（呼吸時マスクの中え外気阻止の為）。
【非特許文献１】
【非特許文献２】
【発明の開示】
【発明が解決しようとする課題】風邪、インフルエンザの細菌を飛散、吸入万延阻止の装置。
【課題を解決するための手段】簡単な装置で、風邪、インフルエンザ感染阻止の方法。
【発明の効果】携帯用の装置で通院、買い物の移動も安心。
【発明を実施するための最良の形態】携帯用と病院用移動も出来る装置（家庭療養用も）
【実施例】
【産業上の利用可能性】簡易な塵埃除去にも活用可。
【図面の簡単な説明】
【図１】携帯用  器具は簡単にネジ４本で分解、清掃出来る、繊維も取り替え出来る、電源は単３、４本又バッテリイで約８時間稼動用モーター使用、患者との接触時も使用。器具は肩掛けか、腰バンドに着用、鼻孔に酸素吸入用の様に両ミミより着用、マスク内に肺活量の２倍以上の空気送る、繊維には歩行で常に水面がゆれ又毛管現象で塩水潤う、
【図２】家庭用、病院療養型、外来患者用。器具は簡単にネジ４本で分解、清掃できる、繊維も取替できる。電源はバッテリイか単１、４本モーターは携帯用の２倍の能力使用。療養型なのでノズルで常に塩水噴霧（円周に）咳とクシャミの時は鼻と口にマスクを密着する。
【図１】
2011011021.tif 000003
【図２】
2011011021.tif 000004
(57)【要約】【課題】従来の傘は予期せぬ雨の日、又は急激な日照による紫外線を防止する目的では、予測がつかず持ち歩くのに不便である。【解決手段】本発明の効果は、安価な簡易傘をいつでも持参していて、急な天候に対応し雨のときは身体および衣服等の濡れることから守る。また、紫外線から皮膚を守る場合はパネル面が紫外線除けパネルの傘を使用者が選択することにより日焼けなどからくる皮膚病の発生する病気の予防になる。丈夫で安価な簡易傘はパネル面に企業の広告を印刷すれば、大量の面積による広告媒体になる。【選択図】図１
2011011026.tif 000002
【特許請求の範囲】
【請求項１】
ロッドの先端部に螺旋部（ネジ山）の溝を有し、ロッドの最上部にめくれ防止のキャップを有しランナとの空間を有し先端部付近まで自在可能なランナ機構を形成されている傘。
【請求項２】
前記ランナがロッド上部の螺旋部に到達したらランナをロッドに沿って回転し、固定されている複数のリブを押し上げることによりキャップの間が狭くなることにより開口する請求項１記載の傘。
【請求項３】
前記のロッドとリブと螺旋部とキャップとからなる請求項１記載の傘。
【請求項４】
ランナはハンドルの上部のロッド下部に傘を閉じている時は止め具として開口防止とからなる請求項１記載の傘。
【請求項５】
ロッドの先端部に留め具を持ちいてロッドの先端部まで自在に移動可能なランナ機構を形成し、スプリングでリブを押しあげている請求項１記載の傘。
【発明の詳細な説明】
【技術分野】
【０００１】本発明は、簡易傘の利便性を図った傘に関する。
【背景技術】
【０００２】従来の傘では、雨の日に傘を持参しているが、雨が止んだり晴れた場合には、忘れたり邪魔になったりして不便であり使用者は高価な負担を強いられていた。【０００３】そこで、市販されている一般的な傘は、傘を畳む際に、留め具、金具などにより畳む際に手を挟む等で怪我をすることが有る。【０００４】しかし、上述した従来の傘の場合、畳む手順が非常に面倒な上に、その構造上怪我をする箇所が多々あり、使用方法を間違えれば凶器になる場合が十分にあり得る。
【発明の開示】
【発明が解決しようとする課題】
【０００５】本発明の目的は、傘を開くときと畳むときが簡単で安全な方法により、雨、晴天に関わらず簡易傘を常備携帯することにより、雨から衣類を濡らさないようにした傘を提供することにある。
【課題を解決するための手段】
【０００６】本発明の傘は、ロッドの先端部に螺旋部を設け上下自在のランナと、前記ランナ内部の螺旋部によりリブの中心部に組み込むことにより前記ランナが複数のリブを押し上げることによりキャップとの距離が狭まり傘が開口することを特徴とする。【０００７】本発明の傘では、畳む際の面倒な手順を踏む必要がなく、かつ傘の耐久性を維持することができる。また、傘を畳む過程で衣服を濡らしてしまうことも激減する。
【発明の効果】
【０００８】本発明の効果は、安価な簡易傘をいつでも持参していて、急な天候に対応し雨のときは身体および衣服等の濡れることから守る。また、紫外線から皮膚を守る場合はパネル面が紫外線除けパネルの傘を使用者が選択することにより日焼けなどからくる皮膚病の発生する病気の予防になる。
丈夫で安価な簡易傘はパネル面に企業の広告を印刷すれば、大量の面積による広告媒体になる。
【発明を実施するための最良の形態】以下、本発明の実施の形態について図面を参照して詳細に説明する。【０００９】図１は、本発明の一実施の形態に係る傘の構成を示す斜視図である。本実施の形態に係る傘は手で把持しやすいように湾曲されたハンドル１１と、基端部にハンドル１１を固着するロッド１２と、ロッド１２の先端寄りと下部に螺旋部を設けロッドを囲むランナ１３と、ロッド１２の先端部に設けた螺旋部機構により軸支された複数本（図示は８本）のリブ１５と、基端部をランナ１３に揺動自在に軸支され先端部をリブ１５の中程に揺動自在に軸支されたリブ１５間に張り渡されたパネル１７と、パネル１７の周縁をリブ１５の先端で固定する複数のチップ１８とからなる主要部が構成されている。【００１０】ロッド１２は、金属，セラミック、プラスチックス等の材料で円筒状に形成されている。【００１１】ランナ１３は、図２、図３に示すように、断面コップ状に形成されていて、底部に穿設された孔内にロッド１２が貫通されている。ランナ１３は、図２、図３に示すように、ロッド１２内に組み込まれた止め鋲２１の機構により所定位置で降下しないように規制されていてランナ１３は自在に軸支している。【００１２】なお、ランナ１３をロッド１２に係止する系止機構は、図４に示すように、２１の留め鋲により＊＊＊＊【００１３】キャップ１４は、図２、図３に示すように、外周に複数の切り込みが入れられた円板状に形成されていて、各切り込みにはリブ１５の基端部が嵌入されて軸により揺動自在に枢着されている。
これにより、リブ１５は、図２、図３に示すように、キャップ１４に対して約９０度の範囲で揺動することができる。また、キャップ１４は、図３に示すように、通常はロッド１２の先端部に植設された抜け止め用の機能とランナ１３から押し上げられたリブ１５とキャップ１４の隙間を狭くすることによってロッド１２に対してリブ１５は開口するように配置された機構。
【図面の簡単な説明】
【００１４】
【図１】本発明の実施形態を示す簡易傘の図面
【図２】従来の傘の留め鋲を上部に移動した図面
【図２−１】螺旋部を設けリブを押し上げた図面
【図３】ランチを下げて傘を閉じた図面
【図４】リブとキャップの平面図
【図５】傘を閉じた図面
【符号の説明】
【００１５】      １１、ハンドル                                １８、チップ
１２、ロッド                                  ２１、留め鋲
１３、ランナ
１４、キャップ
１５、リブ
１６、スプリング
１７、パネル
１９、スプリングボックス
【図１】
2011011026.tif 000003
【図２】
2011011026.tif 000004
【図２−１】
2011011026.tif 000005
【図３】
2011011026.tif 000006
【図４】
2011011026.tif 000007
【図５】
2011011026.tif 000008
(57)【要約】【課題】この発明は、安全にしかも簡単に布や名札等を取り付ける事の出来る、針先を常時安全に保護する安全ピンを提供する。【解決手段】安全にしかも簡単に布や名札等を取り付ける為、針と、針先を常時安全に保護する部材からなる安全ピンである。【選択図】図１
2011011023.tif 000002
【特許請求の範囲】
【請求項１】
細長い部材の一端に針尻を固定し、反対側の端部を折り返して自由端の針先を安全に保護した安全ピン。
【発明の詳細な説明】
【技術分野】
【０００１】この発明は、安全にしかも簡単に布や名札等を取り付ける事が出来る、針先を常時安全に保護した安全ピンに関するものである。
【背景技術】
【０００２】従来、布や名札等の取り付けには安全ピンやクリップを使用していた。
【発明の開示】
【発明が解決しようとする課題】
【０００３】そのために、次のような問題点が生じていた。
（イ）安全ピンは取り付け操作時、及び取り外し操作時において、鋭利な針先が露出する      ので、指を刺す事故があり、特に幼い子供達には危険性が高く操作し辛かった。
（ロ）安全ピンはコイルバネの力を利用して開閉していたが、指の力の弱い年配者には、      かなり力が必要で取り付けにくかった。
（ハ）安全ピンは開閉の為に力を作用させる方向は針の軸に直角方向で、指でつまむよう      にしていたが、ピンに回転力が生じやすく不安定で危険だった。
（ニ）名札を取り付ける為に、安全ピンとクリップを組み合わせて使用していた。
（ホ）クリップはポケットなどに挟む仕組みで、はずれて落ちる場合があった。
本発明は、以上の問題点を解決したものである。
【課題を解決するための手段】
【０００４】  布を取り付ける為の針と、針を固定する部材の２種構造とした。針はその部材で針尻のみを固定し、針先は自由端にした。
針尻を固定した部材の、反対側の端部を針の軸線方向に伸ばし自由端の針先を保護する目的で折り返す。以上の構成からなる針と、針尻を固定し針先を常時安全に保護する部材からなる安全ピンである。
【発明の効果】
【０００５】（イ）したがって、鋭利な針先が常に部材の中におさまっているので取り付け時、使用時      、及び取り外し時において完全に危険がなくなった。
（ロ）安全ピンとクリップの両面性があるので、名札の部品として最適になった。
（ロ）クリップ形状なので簡単に装着出来るが、クリップ内部に針があるので、はずれ落      ちようとする際に針が布に刺さる事ではずれ落ちる事が一切無くなった。
【発明を実施するための最良の形態】
【０００６】以下、本発明の実施形態について説明をする。
（イ）細長い部材▲１▼の一端で針尻▲２▼を固定する。
（ロ）固定した部材▲１▼の反対側の端部は、針軸線方向に伸ばし、包み込むように自由      端の針先▲３▼附近を経由して折り返す。
（ハ）折り返した端部には布を安全に又、簡単に挿入する為のセーフティーガイド▲４▼      の形状を設ける。
（ニ）セーフティーガイド▲４▼は針先▲３▼がはみ出さない、大きさと硬さとする。
（ホ）部材▲１▼の断面形状や材質は多角形でも円形でも、安全性を確保するに足りる強      度であればどんな形状でも材質でも良い。
（ヘ）針先▲３▼で折り返した部材▲１▼の隙間は子供の指が入らない間隔にするのが望      ましい。
本発明は以上の構成からなる安全ピンである。
以下使用法について説明をする。
（１）ポケットへの取り付け方法は布材に安全ピンを差し込むだけ。取りはずそうと安        全ピンを引き抜くと針先▲３▼が布にささる仕組みで脱落防止となる。
（２）名札等の従来の安全ピンの代わりに使用した場合、付けたい布を指でつまみ、セ        ーフティーガイド▲４▼からその布を挿入した後、引き戻すと装着できる仕組み        になっている。
【図面の簡単な説明】
【０００７】
【図１】  本発明の斜視図である
【図２】  本発明の正面図である
【図３】  本発明の側面図である
【図４】  本発明の使用説明図である
【図５】  本発明の使用説明図である
【図６】  本発明の使用説明図（ポケット）である
【符号の説明】
【０００８】  １は部材
２は針尻
３は針先
４はセーフティーガイド
【図１】
2011011023.tif 000003
【図２】
2011011023.tif 000004
【図３】
2011011023.tif 000005
【図４】
2011011023.tif 000006
【図５】
2011011023.tif 000007
【図６】
2011011023.tif 000008
(57)【要約】【課題】  靴を履く、脱ぐ、揃える等を一つの器具に一体化させた脱靴兼用靴べらを提供する。【解決手段】  靴の踵部分を表面から挟むために平板長尺の金属を二つ折りにし、両先端の内側にシリコンゴムを貼り付け靴ぬぎとして、従来の靴べらと合わせ、一体化させた。【選択図】図１
2011011024.tif 000002
【特許請求の範囲】
【請求項１】
長尺の鋏み具の中間を折り曲げた一方の先端部に靴べらと踵鋏み部を設け、他の先端部に、前記かかと鋏み部に対応する踵挟み部を設けたことを特徴とする脱靴兼用靴べら。
【発明の詳細な説明】
【技術分野】
【０００１】  本発明は、靴を履く、脱ぐ、揃えるなど手を汚さずに行うための脱靴兼用靴べらに関するものである。
【背景技術】
【０００２】  従来  靴を履くときは靴べらを使い、脱ぐ時は左右の靴をこすり合わせて脱ぐ、またはかがんで手で直接靴を持ち脱いでいた。
又  揃えるときは膝を折って揃えていた。
【発明の開示】
【発明が解決しようとする課題】
【０００３】  従来  靴を履くときは靴べらを使うが、脱ぐ時は左右の靴をこすり合わせて脱ぎ  靴の内側に傷を付けてしまったり、又は  かがんで手で直接靴を持ち脱がなければならず、手を汚したり腰に負担をかけていた。揃える時は膝に負担をかけていた。
本発明は以上の問題点を解決するためになされたものである。
【課題を解決するための手段】
【０００４】  上記問題点を解決するため本発明は長尺の挟み具の中間を折り曲げた一方の先端部に靴べらと踵挟み部を設け、他の先端部に、前記かかと挟み部に対応する踵挟み部を設けたことを特徴とする脱靴兼用靴べらとしたもので、靴の踵部分を表面から挟むために平板長尺の金属を２つ折りにし  両先端の内側に剥離性を特徴としたシリコンゴムを貼り付け靴脱ぎとし、靴ぬぎのにぎり部分の片方と靴べらを布等で包み込み一体化させたことを特徴とする。
【発明の効果】
【０００５】  従来  靴を脱ぐ時に靴をこすり合わせて脱ぐ  または直接靴を持ち脱いでいたが、靴を挟むことによって楽に脱げる、またすぐに揃えることができるので靴に傷をつけることなく、手を汚さない、体をかがめることもなく楽になる。履く、脱ぐ、揃えるが一つの器具で簡単にできる。
【発明を実施するための最良の形態】
【０００６】  以下、本発明の実施の形態を説明する。
図１に示したように
二又状の鋏み具（１）（２）の両先端（３）（４）にシリコンゴムを設け、鋏み具の片側（２）に靴べら（５）を合わせる。
鋏み具の片側（２）と靴べら（５）を合わせた鋏み具握り手（２）に布などで包み込む。
本発明は以上のような構造である。
本発明を使用するときは、
靴を履くときには鋏み具握り手（２）を持ち靴べら（５）を使用する。
靴を脱ぐときには鋏み具握り手（１）と（２）で靴の表面の踵をシリコンゴム部分（３）（４）で挟み、靴を脱ぐ。
シリコンゴムで靴に傷付けることなく脱ぐことができる。
【図面の簡単な説明】
【０００７】
【図１】  本発明の完成図（表面斜視図）
【図２】  本発明のシリコンゴム部分で靴を挟んだ状態を示した図
【符号の説明】
【０００８】    １挟み具握り手
２挟み具握り手
３シリコンゴム
４シリコンゴム
５靴べら
６折り曲げ部
【図１】
2011011024.tif 000003
【図２】
2011011024.tif 000004
(57)【要約】【課題】本発明は美しく歩くことができる習慣付けと、足の筋力を付けることにより美脚を作り出す靴を提供することを課題としている。【解決手段】本発明の美脚靴は、左右の各足裏と接する部分の踵より指先に向けて、土踏まず近傍から内側部分に対し外側部分を低くし、該内側部分に重心を載せて美しく歩くことができることを特徴としている。【選択図】図１
2011011027.tif 000002
【特許請求の範囲】
【請求項１】
運動靴、ハイヒール、ローヒール、パンプスなどの一般的な靴において、左右の各足裏と接する部分の踵より指先に向けて、土踏まず近傍から内側部分に対し外側部分を低くし、該内側部分に重心を載せて歩く、または走ることができることを特徴とした靴。
【請求項２】
運動靴、ハイヒール、ローヒール、パンプスなどの一般的な靴において、左右の各足裏と接する部分の踵より指先に向けて、土踏まず近傍から内側部分に対し外側部分を低くし、該内側部分に重心を載せて歩く、または走ることができることを特徴とした靴の中敷き。
【請求項３】
左右の各足裏と接する部分の踵より指先に向けて、土踏まず近傍から内側部分に対し外側部分を低くし、該内側部分に重心を載せて歩くことができることを特徴としたサンダル。
【請求項４】
請求項１の靴において、内側部分より外側部分の低くした量と幅を調整できることを特徴とした靴。
【請求項５】
請求項２の中敷きにおいて、内側部分より外側部分の低くした量と幅を調整できることを特徴とした中敷き。
【請求項６】
請求項３のサンダルにおいて、内側部分より外側部分の低くした量と幅を調整できることを特徴としたサンダル。
【発明の詳細な説明】
【技術分野】
【０００１】本発明は美しく歩く、または走ることができる習慣と、足の筋力を付けることにより美脚を作り出す靴を提供するものである。
【背景技術】
【０００２】従来、美しく歩行ができる様にＯ脚を矯正するために靴、または中敷を使用し、靴底もしくは中敷きの外側より内側に向けて徐々に低くなるような傾斜を爪先から踵部に至り全体的に形成し、Ｏ脚の特徴から足の外側にかかる圧力に対し逆の圧力をかけＯ脚を矯正するのが公知である。
【特許文献１】実開平６−３１９６０３
【０００３】一方、足の踵骨と対応する部辺から、同じく立方骨の前端縁近傍と対応する部辺に至る領域において、その縦中央線から外側縁に向かい徐々にその厚みを増し、かつ足の立方骨の前端縁近傍と対応する部辺から同じく中足骨の前端縁近傍と対応する部辺に至る領域において、その縦中央線から内側縁に向かい徐々にその厚みを増した底部を有する靴によりＯ脚を矯正するのが公知である。
【特許文献２】特開平８−２０５９０４
【発明の概要】
【発明が解決しようとする課題】
【０００４】Ｏ脚の場合、各足裏重心の位置は外側にあり、外側重心で歩行している。
そのため、体の中心軸より足裏外側重心位置までの距離が長くなり体を左右に傾け歩く、また両足先を閉じ、踵を広げて歩く姿になりやすく美しくない。【０００５】Ｏ脚の人がヒールの高い靴を履いた場合、足裏重心が外側では、膝を伸ばしての歩行は困難であり、前に一歩踏み出した足の重心が外側では、移動重心を踏み止めることが困難になり、踏み出し時に膝が曲がり重心位置も後方に位置し、歩く姿勢も美しくなりにくいのである。【０００６】Ｏ脚でなく、足先が大きく開き気味の場合、股関節を締める習慣がなく、踏み出す際に膝開いているので、歩く姿勢も美しくなりにくい。【０００７】上記特許文献１，２において、靴底形状、中敷の形状では、足首が内側に折れてしまい、歩く姿が美しくならない。【０００８】特許文献１，２において、靴底や中敷に傾斜を設けていることで、傾斜に対し足の筋力は反力作用を生み出し、直そうとする筋力は生み出せないのである。
つまり、傾斜をつけることでは矯正ができず、傾きがなくなると維持、または戻す筋力がなく、元に戻ってしまうのである。【０００９】本発明は、美脚靴を履くことにより、足に筋力を付けることで歩行を修正し、歩行する姿を美しく、また足の形状も美しくなることを目的とする。
【課題を解決するための手段】
【００１０】上記目的を解決するため本発明は、図１に示すように左右の各足裏と接する部分の踵より指先に向けて、土踏まず近傍から内側部分に対し外側部分を低くし、該内側部分に重心を載せて歩くことができることを特徴としている。【００１１】踵部分は傾斜を設けないことで、足首には影響を与えず、各足の外側が低いことで、外側には足の重心が乗り辛くなり、常に足の内側に重心が乗るようになるのである。
つまり足の外側を低くすることで、足の外側には重心が乗らない筋力が生まれるのである。
各足裏の内側に重心が乗ることで股関節を締める筋力が付き両膝が接近するため、足がまっすぐになり、美しい歩き方、または走り方ができるのである。
【発明の効果】
【００１２】以上のように構成される本発明によると、両足は足裏が接触する部分の外側を低くすることで、足は内側の高い位置に重心を置くことになり内側重心にすることができる。【００１３】内側重心にすることにより、股関節を締める力が働くようになり、Ｏ脚歩行の特徴である外側重心での内股歩行、または内側走行が難しくなり、自然と足先が開き内側重心の歩行、または走行することが可能になる。【００１４】足先が大きく開き気味の場合、踏み出した足の着地は外側踵からになり、内側が高いことで足首が折れて歩き辛くなるので、股関節を締め両足先を閉じることで歩くことが楽になり、両膝が接近して美しく歩くことができる。【００１５】股関節が締まったことで両膝、両踵の接近が楽になり、また前姿もふくらはぎ、両膝が接近することで歩く姿が美しくなる。【００１６】この靴を継続して履くことにより、股関節を締める筋力が付き、内側重心で歩く筋力が付くことから美しく歩行、または走行する習慣が付けられるのである。
【発明を実施するための最良の形態】
【００１７】上記目的を解決するため本発明の美脚靴は、第一の態様として図１に示すように各足裏と接触する部分８は、踵部分は平坦または凹形にし、踵近傍より指先に向け第四指と第五指間近傍の部分７を低くし該各足裏と接触する部分８に重心を載せて歩行できることを特徴としている。【００１８】また該足の接触部分８は、履く人の足の特徴により７の段差量Ｔ、該接触部分８の幅Ｐを調整するシートを設けてあり、足の特徴により調整できる機能を特徴としている。
【図面の簡単な説明】
【００１９】
【図１】概要を示す図である。
【符号の説明】１    ：    第一指
２    ：    第二指
３    ：    第三指
４    ：    第四指
５    ：    第五指
６    ：    足形
７    ：    低い部分
８    ：    足裏接触部
Ｔ    ：    高さ調整量
Ｐ    ：    幅調整量
Ａ−Ａ  ：  Ａ断面
Ｂ−Ｂ  ：  Ｂ断面
【図１】
2011011027.tif 000003
(57)【要約】      （修正有）【課題】鉄は錆びやすい金属であるため、鉄鍋の使い方や手入れを誤ると、鍋を錆びつかせたり、焦げ付きが生じやすいという欠点をもっている。鉄鍋の多くは、使うまでの間に錆が発生するのを防ぐために、鍋の表面に錆止めの塗装を行ってあり、そのため使う前にはガスコンロで鍋を空焚きするなどして鍋表面の塗料をとり除き、その後に錆を防ぐ油を塗っておく必要がある。ところが、鉄鍋を十分に空焚きするには、正しい手順を把握した上で一定の時間と手間をかけて作業を行なう必要があり、不慣れな人が行うと、誤って鍋を錆びさせたり、作業が正しく行われなかったために調理中に焦げ付きが生じることがある。【解決手段】鉄鍋本体に窒化処理を行い、その後に酸化被膜を形成することで、鍋が錆びにくい特性が得られ、塗装が不要となった。また、使用者が鍋を空焚きして酸化被膜を形成する手間も省くことができた。【選択図】図１０
2011011032.tif 000002
【特許請求の範囲】
【発明の詳細な説明】
【発明が解決しようとする課題】
表面処理を施していない軟鉄製の鍋は、調理に必要な油馴染みを得るために、始めにガスコンロ上でから焼きし、軟鉄表面に酸化鉄層（ＦｅＯ）を作ります。この酸化鉄層はポーラス状（多孔質状）をなしており、大変油がよく馴染むので、この作業は必須であります。次に、この鍋に油をタップリ入れ、１００度強に温め、約５分かけて油を鍋表面にしっかりと馴染ませます。これで料理がこびりつかない、使い易い鉄鍋となります。従来この準備作業は、使用者が事前に行っておりました。しかし、昨今このような準備作業を自分で行うのは面倒と考える使用者が激増しました。  従来の軟鉄製の鍋は、錆を防ぐため、ラッカーなどを主成分とした塗料を塗装してある場合、シリコン塗装をしてある場合、手で剥がせる塗装をしてある場合の３種類があります。ラッカー塗装の場合は、調理に使う前にガスコンロ上でから焼きして塗装膜を取り除く手間が必要となります。その後、カラ焼きし酸化鉄層を作り、油を馴染ませます。シリコン塗装の場合は、調理を重ねるうちに次第に剥がれ落ち、やがては軟鉄の生地表面が露出します。その時点から、ようやく鉄本来の油なじみの特性を発揮し始めますが、それまでにかなりの期間が必要であります。手で剥がせる錆び止め塗装の場合は、完全に被膜を剥がし、カラ焼きし、油を馴染ませます。  加えて軟鉄製の鍋は、ＩＨ（電磁調理器）ではから焼きができない上に、ガスコンロ上で使用するにはなんら問題がない板厚のものでも、ＩＨ（電磁調理器）上での初期加熱が強いと鍋底面が変形しやすいという欠点をもっています。  そこで、油馴染みが良く、高温（１７５℃〜１８０℃）料理にも向いていて、鉄分が摂取できるという鉄鍋の良さを完全に残し、なおかつ、錆びなくて、手入れが楽で、熱変形に強く、使用前のから焼きが不必要な鉄鍋を製造し提供する必要があると考えました。これを開発の課題といたします。
【発明の効果】
まず鍋本体は軟鉄で作り、これを加熱炉に入れ、そこに窒素成分を充てんし、加熱炉の温度を上げ、鍋を一定以上の高温で加熱します。その結果、軟鉄表面に３層の窒化鉄層が形成されます。  鉄の芯に近い第１層がＦｅ４Ｎ、次が主たる層である第２層のＦｅ３Ｎ、一番表面が第３層のＦｅ２Ｎとなります。この加熱処理をガス軟窒化といいます。この熱処理を軟鉄に施すと、錆びやすくて柔らかい軟鉄が、錆びにくい、つまり耐腐食性に大変優れた、しかも耐摩耗性にも大変優れた硬い金属へと変わります。この熱処理技術は、摩耗したり、腐食してはいけない部品などに広く使われている鉄の汎用熱処理技術です。中でも自動車、航空機などの耐摩耗性、耐腐食性が求められる部品の多くに、この熱処理技術が使われています。  この技術を軟鉄鍋に用いた結果、油馴染みが良く、高温（１７５℃〜１８０℃）料理にも向いていて、鉄分が摂取できるという軟鉄鍋の良さを完全に残し、その上、錆びにくく、手入れが楽で、熱変形に強く、使用前のから焼きが不要な鉄鍋となります。熱変形に強いことは、ＩＨ（電磁調理器）でも使いやすいということに結びつきます。この特性は、ＩＨが徐々に広まっている現況を考えると、非常に大きな要素と言えます。
【図面の簡単な説明】
【図１】熱処理前の、通常の軟鉄の断層写真である。
【図２】軟鉄に窒素成分を使った熱処理を行い、軟鉄表層に窒化鉄層が形成されている断層写真である。
【図３】熱処理前の軟鉄の表面荒さを示すグラフである。
【図４】熱処理後に、表層に形成された窒化鉄層の表面荒さを示すグラフである。なお、窒化鉄の荒さ測定はグラフの振幅が大きく、作図のさいに縦倍率を軟鉄の半分にしてある。
【図５】図３、図４のグラフ測定時の表面荒さを表す成績表である。
【図６】図３と図４の検体の硬度を表す成績書である。これによると、熱処理前の軟鉄の硬度が約１００であるのに対し、熱処理後の軟鉄表層に形成された窒化鉄層の硬度は、およそ５倍の硬度であることが分かる。つまり、軟鉄の両面に非常に硬い層が形成されているため、加熱のストレスに強く変形しにくい構造となっている。
【図７】軟鉄を熱処理し、表層に窒化鉄層を有する鍋から鉄分が溶出したことを表す成績書である。
【図８】軟鉄製の鉄鍋と、軟鉄を熱処理して表層に窒化鉄層を有する鉄鍋とを水槽に入れた直後の写真である。
【図９】図８の２４時間経過後の状態を撮影した写真である。
【図１０】通常の軟鉄製鍋には赤錆びが生じたのに対し、軟鉄を熱処理して表層に窒化鉄層を有する鉄鍋には錆びが生じていないことを示す写真である。
【図１１】図８〜図１０に至る試験結果報告書である。
【図１２】軟鉄製の鍋に窒素成分を使った熱処理を行ったのち、取っ手を取り付けた鉄鍋の写真である。
【図１３】図１２と同一の熱処理を行った、たまご焼き器の写真である。
【図１４】図１２と同一の熱処理を行った、天ぷら鍋の写真である。
【図１】
2011011032.tif 000003
【図２】
2011011032.tif 000004
【図３】
2011011032.tif 000005
【図４】
2011011032.tif 000006
【図５】
2011011032.tif 000007
【図６】
2011011032.tif 000008
【図７】
2011011032.tif 000009
【図８】
2011011032.tif 000010
【図９】
2011011032.tif 000011
【図１０】
2011011032.tif 000012
【図１１】
2011011032.tif 000013
【図１２】
2011011032.tif 000014
【図１３】
2011011032.tif 000015
【図１４】
2011011032.tif 000016
【手続補正書】
【提出日】平成21年11月24日(2009.11.24)
【手続補正１】
【補正対象書類名】特許請求の範囲
【補正対象項目名】全文
【補正方法】変更
【補正の内容】
【特許請求の範囲】
【請求項１】
鉄鍋に窒化処理を行い、錆びにくくて、油になじみやすい鉄鍋を製造する方法。
(57)【要約】【課題】  現在市販されているマスクでは、マスクと顔の間から空気が入るなど、ウイルス感染を予防できるところまで除去することはできない。  出願中のウイルス捕捉フィルターでは均質性と安定性の点で改善を要した。【解決手段】  ベンゾイン樹脂を塗布した球体集合体からなるウイルス捕捉フィルターを鼻と上唇の間の形状に合わせて固定し、呼気の分散を防ぎ吸気速度を保ったまま樹脂の間を通過させる。空気より重いウイルスは空気よりも直進性があり樹脂に衝突捕捉される。【選択図】図３
2011011031.tif 000002
【特許請求の範囲】
【請求項１】
ウイルス捕捉部とパッドから構成される。ウイルス捕捉部に使用される球体は出願中の球体集合体エアフィルターの球体のΦを４．４ｍｍとしたもので図１に示す。球体にはヒノキを用い、ベンゾイン樹脂を滲み込ませ塗布したものとする。集合体の大きさは、およそ幅４０ｍｍ、高さ２０ｍｍ、厚み１５ｍｍでガーゼの袋に入れたもの。
【請求項２】
捕捉部を鼻の下に固定するパッドは図２に示すように、正面、側面、上部からの呼気の流入を阻止し、呼気の速度が失われない構造とする。
【発明の詳細な説明】
【技術分野】
【０００１】  インフルエンザ等、空気感染を防ぐマスク。
【背景技術】
【０００２】  従来のマスクでは、マスクの繊維をウイルスが通過する。繊維を細かくすればマスクと顔の間から空気が入るなど、ウイルスを除くことが難しかった。
【発明の開示】
【発明が解決しようとする課題】
【０００３】  従来のマスクでは難しかったウイルスの捕捉を確実にする。出願中のフィルターは樹脂の粒を用いたため均質化の点で問題があった。
【課題を解決するための手段】
【０００４】  従来、フィルターはその網目より大きいものを通さないことで空気を浄化する。出願するフィルターでは、樹脂の間を呼気が曲がりくねって進む間に、空気より重いウイルスは直進する傾向があり樹脂に衝突する。樹脂は呼気の水分を吸って粘着性を持ち、衝突したウイルスは樹脂に捕捉される。インフルエンザウイルスは空気同様に軽いが、それでも酸素よりは１００万倍も重い。質量の差を使いウイルスを除去するのが基本的な考えである。
球体は規則正しく並ぶことから、樹脂の間を通る呼気は確実に球体に衝突し、更に均質化できる。樹脂の粒では時間とともに変形し通気性がなくなったが、ヒノキに滲みこませることで安定化される。
【発明の効果】
【０００５】  捕捉部は、鼻と上唇の間の形状に合わせて変形し固定されるため、全ての呼気は樹脂の間を通過する。樹脂間には十分な隙間があるため、吸気と排気のときに幾分抵抗を感じるが呼吸が困難になることは無い。ウイルスは単体で飛散することは無く、水分を含み壊れた細胞に乗って飛散することから、ウイルスの種類に関係なく、発症を防げる位に十分に分離捕捉できる。
【発明を実施するための最良の形態】
【０００６】  捕捉部は、空気の汚れ具合によるが、使用可能な時間は４時間前後である。パッドは長期間使える物とし、捕捉部を交換する。通常の呼吸で効果が得られるが、意識的にゆっくりした呼吸では効果が得られない。吸気を普通かやや強め、排気はゆっくりとすると効果が増す。樹脂の種類によって粘りが異なり、粘り具合は使用可能時間に影響する。パッドと捕捉部は動かないよう通気性の良い袋に入れられ、マスクで固定される。顔に接する部分と捕捉部の開口面には起毛した生地を使用し、隙間から流入する呼気を防ぎ、捕捉部に大きな浮遊物が入るのを防ぐ。マスクは市販品を用いる。
【実施例】
【０００７】  現在は、捕捉部をハンカチに入れ、ハンカチをパッドの形状に折りたたんで使用している。幾度かインフルエンザの流行期を過ごしているが、未だ発症に至っていない。
【産業上の利用可能性】
【０００８】  ウイルスだけでなく、アンモニア等の悪臭の除去が可能である。塗布する樹脂を目的にあわせて変えれば、更に利用範囲が広がる可能性がある。悪臭下での作業、カビの胞子、粉麈、塗装、花粉、農薬散布など利用範囲は広い。
【図面の簡単な説明】
【０００９】
【図１】球体の形状を示す
【図２】パッドの形状を示す
【図３】装着したときのイメージ図
【図１】
2011011031.tif 000003
【図２】
2011011031.tif 000004
【図３】
2011011031.tif 000005
(57)【要約】      （修正有）【課題】ダマを防ぎ、きめ細かい滑らかな生地作りや泡立てが可能な調理用泡立て器を提供する。【解決手段】泡立て部２が網目状からなることにより、粉ふるい工程と泡立て工程を一体的に行うことが可能な調理用泡立て器。粉ふるいや電動の泡立て器を必要とせず、誰にでも簡単に素早く、きめ細かい滑らかな生地や泡を完成させることができる上、交差部分がないため、生地や食材の引っかかりを防ぐことができる。【選択図】図１
2011011033.tif 000002
【特許請求の範囲】
【請求項１】
泡立て部が網目状からなることを特徴とする、調理用泡立て器。
【発明の詳細な説明】
【技術分野】
【０００１】  本発明は調理器具、特に泡立て器に関するものである。
【背景技術】
【０００２】  従来の泡立て器は、主にＵ字に曲がった形状のステンレス線や金属線を数本組み合わせて泡立て部先端を交差させ、一本の柄の部分に固定したものから形成されている。この形状の問題点として線の間隔が大きいために、食材の混合や泡立ての際にダマができてしまったり、泡立て部先端の交差部分に生地や食材が引っかかるなどしている。
【発明の概要】
【発明が解決しようとする課題】
【０００３】  従来の技術で述べたものは、ダマになるのを防ぐために粉ふるいにかけたり、ダマになってしまった場合にはスプーンやゴムベラを使用して潰すなどしなければならなかった。またダマ防止や、より早い泡立て、きめ細かい滑らかな生地や泡を作るためとして手動では時間や労力を要するため、電動の泡立て器を用いるなどしなければならなかった。【０００４】  本発明は、このような現状を改善するために、粉ふるい工程と泡立て工程を一体的に行える調理器具を開発することを課題とした。
【課題を解決するための手段】
【０００５】  本発明は、上記の課題を解決するために、泡立て部が網目状からなることを特徴とする。
【発明の効果】
【０００６】  本発明は以上に述べたように形成されているので、粉ふるいや電動の泡立て器を必要とせず、誰にでも簡単に素早く、きめ細かい滑らかな生地や泡を完成させることができる上、交差部分がないため、生地や食材の引っかかりを防ぐことができる。
【図面の簡単な説明】
【０００７】
【図１】  本発明の調理用泡立て器を示す平面図である。
【発明を実施するための形態】
【０００８】  以下、本発明の実施の形態を図１に基づいて説明する。
【０００９】  図においては、２の柄を持ち手とし、１の網目状からなる泡立て部を混合または泡立てる箇所にあて、上下左右に振り動かして使用するものである。
【００１０】
【符号の説明】
【００１１】  １  泡立て部
２  柄
【図１】
2011011033.tif 000003
(57)【要約】      （修正有）【課題】従来、野球やソフトボ−ルのバッタ−ボックス部分のライン引きは、限られた人にだけしか出来なかったが、それを解消するために実際のバッタ−ボックスのサイズに合わせたライン引き補助具を提供する。【解決手段】本体１と本体２を金具Ｋで開閉可能に支持し、運搬時にコンパクトにする事が可能である。使用時は本体１と本体２を展開し、突起５をホームベースの端部に位置合わせを行った上、本体１、本体２の形状に合わせてラインを引く。【選択図】図３
2011011017.tif 000002
【特許請求の範囲】
【請求項１】
野球やソフトボ−ルのバッタ−ボックス部分のラインを引くのに、計測しなくても引くことができる用具。用具を実際のバッタ−ボックスのサイズに合わせて（基本にして）作成したもの。
【請求項２】
用具の材料は金属などのほか、他の材料を用いても可。用具の形状は限られたものでなくても可。用具の接続部分の金具の形状、及び取り付け法は、他の形状、他の取り付け法でも可。
【請求項３】
用具は折りたたみ式のほか伸縮式、又は接続部分のない一体化のものでも可。用具のサイズは、固定してもよいが固定しなくてもよい。サイズを変更できるようにしても可。
【請求項４】
用具に筆記用の器具など他の部品を添付しても可。
【発明の詳細な説明】
【発明の詳細な説明】
【技術分野】
【０００１】本考案は野球やソフトボ−ルのバッタ−ボックス部分のラインを、巻尺などで計測しなくても引くことができる用具です。
用具を実際のバッタ−ボックスの約４分の１くらいのサイズに作り、それをバッタ−ボックスの予定部分に置いて、その周りを形取るだけで左右両バッタ−ボックスが出来上がるというものです。
【背景技術】
【０００２】従来、バッタ−ボックス部分のラインを引く時には、巻尺などで要所を１ヶ所ごとに計測しながら引いているが、計測方法が面倒なため時間がかかり、だれにでも容易に引くことができないという欠点があります。バッタ−ボックスの縦、横の寸法は知っていても、どこを基準にどのように測ればよいのか、計測の仕方を知らないと出来なかった。
【課題を解決するための手段】
【０００３】本用具はそういった問題を解決するために、用具を実際のバッタ−ボックスのサイズに合わせて（基準にして）形作ったものです。（第一図）この用具をバッタ−ボックスの予定となる部分に置いて、用具の周り（外側）を形取っていけば左右両バッタ−ボックスが出来上がります。（図面では省略）形取り方は、先の尖った金具などで用具の周りに一旦印を付けておいて、その上を白線でなぞってもよいし、直接、用具の周りをライン引き（白線）で引いてもよい。
【発明実施の形態】
【０００４】この用具（第一図）は、金属などで作りますが、用具全体の大きさは実際のバッタ−ボックスの約４分の１（第三図Ａ）の部分と同じくらいのサイズです。用具（第一図）は、本体（１）と本体（２）を組み合わせ、金具（Ｋ）で接続し、中心軸（３）を中心に中央から折りたたむことができます。（第二図）
用具の目印（４）は、基準となる一塁線（Ｆ）及び三塁線（Ｓ）に合わせるためのもの。突起（５）は、同じく基準となるホ−ムベ−ス（７）に合わせるためのもの。基準軸（６）は、同じく基準となる基準線（Ｂ）に合わせるときのもの。基準線（Ｂ）はバッタ−ボックスの前半分（Ａ）と後半分（Ｂ）の間の基準となる線です。（以上第三図）
この用具を使用する時は、第一図のように用具全体を広げた状態で片方のバッタ−ボックス（図では左ボックス側の前半分）の上に置きます。（第三図）図のように左バッタ−ボックス側から引き始める場合は、用具の目印（４）を一塁線（Ｆ）に合わせ、突起（５）をホ−ムベ−ス（７）の左打席側側面にぴったり当てて合わせます。（第三図）次に用具の周り（突起（５）の周りは除く）を形取れば左ボックス側の前半分（第三図Ａ）の部分が出来上がります。（図面では省略）次は用具を広げたままの状態で左バッタ−ボックス側の後ろ半分（第三図Ｃ）の上に置き換えます。（図面では省略）その際、用具の基準軸（６）を左ボックス側の基準線（Ｂ）に合わせます。（図面では省略）次に用具の周り（突起（５）の周りは除く）を形取れば、左ボックスの後ろ半分も出来上がると同時に左バッタ−ボックス全体が出来上がります。（図面では省略）
次に右バッタ−ボックスを引く時は、用具を広げたままの状態で、反対（裏返し）にして右ボックス側の前半分（第三図Ａ）の上に置きます。（図面では省略）その際、用具の目印（４）を三塁線（Ｓ）に合わせ、突起（５）をホ−ムベ−ス（７）の右打席側側面にぴったり当てて合わせます。（図面では省略）次は左ボックスを引いた時と同じ要領で周りを形取っていけば右バッタ−ボックスも出来上がります。最後は形取った両ボックスの線の上を白線で目立たせるようにすれば、すべてが完了です。（図面では省略）
使用後は用具を折りたためばコンパクトになり、持ち運びも簡単です。（第二図）
【発明の効果】
【０００５】この用具は、バッタ−ボックスの部分的な寸法や基準点、面倒な計測方法など全く知らない人でも容易に、しかも短時間に１人でバッタ−ボックス部分のラインを引くことができます。
【図面の簡単な説明】
【０００６】
【図１】本用具全体の平面図
【図２】本用具を折りたたんだ時の平面図と縦面図
【図３】本用具を左バッタ−ボックスの前半分（投手寄り）の上に置いた時の平面図（用具以外の図は、一般ソフトボ−ル用の図形をモデルにしています）
【符号の説明】  （１）用具の本体    （２）用具の本体      （３）中心軸        （４）目印
（５）突起          （６）基準軸          （７）ホ−ムベ−ス
（Ａ）バッタ−ボックスの前半分（投手寄り）のスペ−ス
（Ｂ）基準線
（Ｃ）バッタ−ボックスの後ろ半分（捕手寄り）のスペ−ス
（Ｋ）金具          （Ｆ）一塁線          （Ｓ）三塁線
【図１】
2011011017.tif 000003
【図２】
2011011017.tif 000004
【図３】
2011011017.tif 000005
(57)【要約】【課題】  本発明は、今迄に無い新しい華道の方法で、限りなく生け方が楽しめる事が出来、とくに極細の花には、すばらしい効果が出来る事を提供する。【解決手段】  剣山に発明した補助具を差し込み、その上に花の長さあつた孔明きビニ−ル筒を差し込む事により、花持ちが良くなり、誰にでも簡単に生け花を楽しむ事が出来る。【選択図】図３
2011011016.tif 000002
【特許請求の範囲】
【請求項１】
細径縦長の中空筒である挿入筒（４）の下端を差し込み口（７）ととし、挿入筒（４）の中部に環状のつば部（５）を設け、つば部（５）上面に筒状の内軸（６）設け、内軸（６）と挿入筒（４）は上端から下端まで貫通した筒状となし、縦長筒状のビニ−ル支軸（１）の内部を中空部（３）とし、ビニ−ル支軸（１）の下端を内軸（６）の上部に外接するように差し込み、ビニ−ル支軸（１）の側面に複数の貫通の孔（２）を設ける。以上よりなる生け花剣山用支え具。
【発明の詳細な説明】
【技術分野】
【０００１】  本発明は、生け花の剣山に使用する補助具であって、剣山の針部の隙間に入れて花の極細の茎を支えるための、生け花の剣山用支え具に関するものである。
【背景技術】
【０００２】  剣山に生けられた花の細い茎は、針部の隙間で安定しないために、剣山の針部の間で花の茎を支えて添え木をしていた。
【先行技術文献】
【０００３】
【特許文献１】登録実用新案第３０７３９９５号
【発明の概要】
【発明が解決しようとする課題】
【０００４】従来の方法では、束ねたり添え木をあたえて面倒だったり、花持ちが悪かった。
【課題を解決するための手段】
【０００５】  細径縦長の中空筒である挿入筒（４）の下端を差し込み口（７）とし、挿入筒  （４）の中部に環状のつば部（５）を設け、つば部（５）の上面に筒状の内軸（６）を設け、内軸（６）と挿入筒（４）は上端から下端まで貫通した筒状となし、縦長筒状のビニ−ル支軸（１）の内部を中空部（３）とし、ビニ−ル支軸（１）の側面に複数の貫通孔（２）を設ける。
以上よりなる生け花剣山用支え具。
【発明の効果】
【０００６】  剣山に補助具を取り付ける事により、水ぐされが無くなり、細い花でも倒れず花が枯れた場合その花だけを簡単抜き取り、新しい花に交換が出来る。
【図面の簡単な説明】
【０００７】
【図１】本発明の断面図
【図２】本発明の斜視図
【図３】本発明の使用状態を示す斜視図
【発明を実施するための形態】
【０００８】本発明の形態を説明する。
（イ）金属または硬質樹脂からなる細径縦長の中空筒である挿入筒（４）の下端を差し込み口（７）とする。
（ロ）挿入筒（４）の中部に環状のつば部（５）を設ける。
（ハ）つば部（５）の上面に筒状の内軸（６）を設ける。
（ニ）内軸（６）と挿入筒（４）は上端から下端まで貫通した筒状とする。
（ホ）縦長筒状のビニ−ル支軸（１）の内部を中空部（３）とし、ビニ−ル支軸（１）の下端を内軸（６）の上部に外接するように差し込む。
（ヘ）ビニ−ル支軸（１）の側面に複数の貫通の孔（２）設ける。
本発明は以上の構成よりなり本発明を使用するときは、ビニ−ル支軸（１）の中空部（３）に生け花の茎を差し込み、剣山（９）の針部（８）に本体の下端の差込口（７）を差し込む。または針部（８）と針部（８）のすき間に挿入筒（４）差して、生け花を剣山（９）に飾る事が出来る。
ビニ−ル支軸（１）の側面に設けた孔（２）より、水盤の水が出入りするので、生け花はいつまでも新鮮に生きることがてできる。
【符号の説明】
【０００９】１、ビニ−ル支軸
２、給水用通し孔
３、中空部
４、挿入筒
５、つば部
６、内軸
７、差し込み口
８、針部
９、剣山
【図１】
2011011016.tif 000003
【図２】
2011011016.tif 000004
【図３】
2011011016.tif 000005